(57)【特許請求の範囲】
【請求項１】
空気調和用の気体が供給される略筒状のネック部を有し、且つ前記気体を空気調和の対象空間へ吹出す細長い矩形の吹出開口部を有してなる略箱状の吹出口本体と、当該吹出口本体の内側長手方向に位置調整自在に配設され、気体の吹出す方向を所定の向きに案内する一又は複数の案内手段とを備えるライン型吹出口において、
少なくとも前記ネック部以上の開口断面を有する略筒状体で形成され、ネック部に連通してネック部が配設される側壁及び当該側壁に対向する側壁間に配設固定される内側支持筒体を備え、
前記ネック部が、断面形状を横長の略長円形状に形成され、当該略長円形状の長径を前記吹出開口部に略平行に配設され、
前記内側支持筒体の前記吹出開口部側に面する周側部に所定の切込みを形成し、当該切込みに基づいて前記周側部の複数の所定部分を所定角度に折曲して起して複数の気流案内片となすと共に、当該気流案内片を起して得られた周側部の開口部分を気流通路となすことを特徴とするライン型吹出口。
【請求項２】
前記請求項１に記載のライン型吹出口において、
前記各案内手段が、吹出方向調整に加え、前記吹出開口部の開口率を調整自在に形成されると共に、前記吹出開口部を長手方向に少なくとも両端及び中央の三つ以上に分割した領域それぞれに独立して調整自在に複数配設されることを特徴とするライン型吹出口。
【発明の詳細な説明】
【０００１】
【発明の属する技術分野】
本発明は、空気調和の対象となる空間における天井に配置され、この空間への空気調和用気体の吹出しを偏りなく行えるライン型吹出口に関する。
【０００２】
【従来の技術】
空気調和設備において、ダクトを通じて送られる調和空気を室内に吹出すライン型吹出口として、従来、図８〜図１０に示すものがあった。この図８は従来のライン型吹出口の斜視図、図９は従来のライン型吹出口の概略構成縦断面図、図１０は従来のライン型吹出口の長手方向吹出パターン説明図である。
【０００３】
前記各図において従来のライン型吹出口１００は、天井５０内に配設され、ダクト５１と接続されて調和空気を供給される円筒形状のネック部１０１ａ及び室内側に向けた細長い矩形状の吹出開口部１０１ｂを形成される略箱状の吹出口本体１０１と、この吹出口本体１０１の開口領域内にそれぞれ角度調整自在に配設される第一羽根１０２及び第二羽根１０３と、吹出口本体１０１の長手方向端部内側で前記各羽根を軸支する支持軸１０４とを備える構成である。
【０００４】
前記第一羽根１０２及び第二羽根１０３は、それぞれ互いに向い合うように湾曲した断面の板状体に形成される構成である。第一羽根１０２には支持孔１０２ｂを形成する円筒部１０２ａが設けられ、支持軸１０４に所定の揺動位置で固定できるよう、支持軸１０４に対する支持孔１０２ｂの嵌合具合を設定してある。第二羽根１０３は、Ｃ字状の支持部１０３ａを形成され、この支持部１０３ａを前記第一羽根１０２の円筒部１０２ａ外周に環装し、支持部１０３ａ内径と第一羽根１０２の円筒部１０２ａ外径との嵌合具合を適切に設定することで所定の揺動位置で固定される仕組みである。
【０００５】
前記構成に基づく従来のライン型吹出口における調和空気の吹出パターンを変える際には、第一羽根１０２及び第二羽根１０３を閉状態及び開状態の途中の任意位置で固定することにより気流の方向及び送風量を任意に設定できる。冷房の場合には１０２と第二羽根１０３を吹出口本体１０１のいずれかの側壁側に寄せると共に、寄せた側壁により近い方の羽根を側壁に密着させ、通風路を一方の羽根の横のみとして案内された冷気を左右いずれかの横方向に吹出させ、室内空気より重い冷気が天井に沿って室内に分散するようにする。暖房の場合には第一羽根及び第二羽根を吹出口本体１０１の側壁から離し、通風路を両羽根の横に設定して吹出方向を下向きとし、軽い暖気が室内下方まで達して部屋全体を暖められるようにしている。
【０００６】
【発明が解決しようとする課題】
従来のライン型吹出口は以上のように構成されていたことから、調和空気の温度に応じた吹出パターンの変更は行えるものの、吹出口本体１０１の形状により、ネック部１０１ａより吹出口本体１０１内に流入した調和空気が正面の側壁にあたった後、吹出口本体１０１の斜面に沿って流れる傾向があり、図１０に示すように、吹出開口部１０１ｂの長手方向において、両端側からは多く出るものの、中央からの吹出量が少なくなってしまい、気流分布の偏りを生じて、ドラフトを感じたり、調和空気の拡散能力不足による室内空間での温度不均一を招いたりするという課題を有した。
【０００７】
また、従来のライン型吹出口は、高さ方向の寸法が比較的大きいために十分な天井内部空間を必要とするなど、設置における制約が大きいことに加え、梁などの天井内構造物に干渉しやすく、干渉に際してはこうした天井内構造物への加工も必要となり、設置作業に手間がかかり高コストになるという課題を有した。
【０００８】
本発明は前記課題を解消するためになされたもので、吹出開口部からの吹出状態を長手方向に均一化し、気流の拡散能力を向上させて空気調和効果を高められ、また、高さ寸法を小型化して設置における制約を少なくできるライン型吹出口を提供することを目的とする。
【０００９】
【課題を解決するための手段】
本発明に係るライン型吹出口は、空気調和用の気体が供給される略筒状のネック部を有し、且つ前記気体を空気調和の対象空間へ吹出す細長い矩形の吹出開口部を有してなる略箱状の吹出口本体と、当該吹出口本体の内側長手方向に位置調整自在に配設され、気体の吹出す方向を所定の向きに案内する一又は複数の案内手段とを備えるライン型吹出口において、少なくとも前記ネック部以上の開口断面を有する略筒状体で形成され、ネック部に連通してネック部が配設される側壁及び当該側壁に対向する側壁間に配設固定される内側支持筒体を備え、前記ネック部が、断面形状を横長の略長円形状に形成され、当該略長円形状の長径を前記吹出開口部に略平行に配設され、前記内側支持筒体の前記吹出開口部側に面する周側部に所定の切込みを形成し、当該切込みに基づいて前記周側部の複数の所定部分を所定角度に折曲して起して複数の気流案内片となすと共に、当該気流案内片を起して得られた周側部の開口部分を気流通路となすものである。このように本発明によれば、前記ネック部の断面形状を略長円状に形成し、ネック部から吹出口本体に流入する気流の流動状態を変えて吹出開口部中央に出やすくすることにより、長手方向の端部に集中する気流の流れをより中央側に偏位させられ、吹出開口部からの気流の吹出しが長手方向両端部に偏りにくくなり、空気調和の対象空間により均一に気流を拡散させて空気調和効果を向上させられる。また、ネック部の垂直方向寸法を小さくすることで吹出口本体の高さ寸法全体を小さくできることにより、天井内構造物と干渉しにくく、制約の多い取付条件にもより柔軟に対応できることとなり、設置作業の能率化が図れる。
【００１０】
加えて、吹出口本体内にネック部と連続する内側支持筒体を配設し、内側支持筒体に切込みを形成して複数の気流案内片を折曲げて気体通路を生じさせ、吹出口本体内部の気体の流れを気流案内片で吹出開口部側に案内できることにより、吹出開口部からの気流の吹出しが長手方向において両端部に偏ることなく均一化することとなり、気流分布を長手方向に均一化でき、拡散能力を高めて空気調和効果をさらに向上させられる。また、吹出口本体の向い合う側壁間に内側支持筒体を配設していることにより、吹出口本体の強度を著しく高めることとなり、気流による揺れや振動等を起りにくくして静粛性を向上できる。
【００１１】
また、本発明に係るライン型吹出口は必要に応じて、前記各案内手段が、吹出方向調整に加え、前記吹出開口部の開口率を調整自在に形成されると共に、前記吹出開口部を長手方向に少なくとも両端及び中央の三つ以上に分割した領域それぞれに独立して調整自在に複数配設されるものである。このように本発明によれば、開口部に配設する案内手段を少なくとも中央と両端の三つ以上に分割してそれぞれ独立に配設し、それぞれの位置で風量調整可能とすることにより、長手方向両端部で風量を減らすと共に、中央部分で風量を確保する調整が行えることとなり、吹出開口部から吹出す風量を長手方向でさらに確実に均一化できると共に、各案内手段で吹出しの向きを独立に設定して多様な吹出パターンを得られることとなり、空気調和能力の一層の向上が図れる。
【００１２】
【発明の実施の形態】
以下、本発明の一実施の形態に係るライン型吹出口を図１〜図７に基づいて説明する。この図１は本実施の形態に係るライン型吹出口の正面図、図２は本実施の形態に係るライン型吹出口の概略構成縦断面図、図３は本実施の形態に係るライン型吹出口の内側支持筒体の要部概略説明図、図４は本実施の形態に係るライン型吹出口の吹出状態説明図、図５は本実施の形態に係るライン型吹出口による水平吹出パターン説明図、図６は本実施の形態に係るライン型吹出口による別の水平吹出パターン説明図、図７は本実施の形態に係るライン型吹出口による水平及び垂直吹出パターン説明図である。
【００１３】
前記各図に示すように、本実施の形態に係るライン型吹出口１は、ダクト５１接続用の略長円断面形状のネック部２ａ及び室内吹出側に細長い矩形状に形成される吹出開口部２ｂを形成される吹出口本体２と、前記ネック部２ａに一体に連続させてネック部２ａの配設される側壁及びこの側壁に対向する側壁間に配設固定される内側支持筒体３と、前記吹出開口部２ｂを長手方向に四等分に分割した開口領域それぞれに独立して角度調整自在に複数配設される案内手段としての第一羽根４、５、６、７及び第二羽根８、９、１０、１１とを備える構成である。
【００１４】
前記吹出口本体２は、断熱材のグラスボードを複数組付けて中空筐体として形成され、二枚の対向する側壁の一方に横長の略長円断面形状の筒状体であるネック部２ａが配設され、室内側となる下端には細長い矩形状に吹出開口部２ｂを形成されてなり、ネック部２ａを天井５０内でダクト５１に接続して調和空気を取込み、吹出開口部２ｂから室内に吹出させる構成である。
【００１５】
前記内側支持筒体３は、ネック部２ａと一体に連続する略長円断面形状の筒体であり、前記吹出開口部２ｂ側に面する周側部に所定の切込みを形成され、当該切込みに基づいて前記周側部の複数の所定部分が所定角度に折曲されて各々気流案内片３ａとなると共に、この気流案内片３ａを起して得られた周側部の開口部分が気流通路３ｂとなる仕組みである。内側支持筒体３から気流案内片３ａに沿って気流が吹出すことによって、吹出口本体２内において気流の吹出開口部２ｂ端部への偏流がほぼ解消され、均等にバランスよく吹出開口部２ｂ側へ向わせられる。
【００１６】
前記第一羽根４（又は５、６、７）及び第二羽根８（又は９、１０、１１）は、吹出口本体２内側に配設され、先端部がそれぞれ互いに向い合う向きに湾曲した断面を有する板状体に形成される構成である。第一羽根４（又は５、６、７）の上縁部には支持孔４ｂ（又は５ｂ、６ｂ、７ｂ）を有する円筒部４ａ（又は５ａ、６ａ、７ａ）が形成され、吹出口本体２内に配設される支持軸２ｃに対しそれぞれ所定の揺動位置で固定できるよう、支持軸２ｃの外径と支持孔４ｂ（又は５ｂ、６ｂ、７ｂ）の内径の嵌合度を設定している。第二羽根８（又は９、１０、１１）は、上縁部に前記第一羽根４（又は５、６、７）の円筒部４ａ（又は５ａ、６ａ、７ａ）外周に環装されるＣ字状の支持部８ａ（又は９ａ、１０ａ、１１ａ）を形成され、第二羽根８（又は９、１０、１１）を所定の揺動位置で固定することができる適度な摩擦力を生じるよう、支持部８ａ（又は９ａ、１０ａ、１１ａ）の内径と第一羽根４（又は５、６、７）の円筒部４ａ（又は５ａ、６ａ、７ａ）外径との嵌合度を適度に調整している。向い合う二つの羽根の内側面には、操作突部４ｃ（又は５ｃ、６ｃ、７ｃ）、及び８ｂ（又は９ｂ、１０ｂ、１１ｂ）が突出位置を互い違いとなるように突出して形成されている。また、第一及び第二羽根の最先端部を互いに湾曲内側に向けて向い合せに断面鉤状に折曲して成形し、指を入れられる程度の先端凹部１２（又は１３、１４、１５）が生じるようにしている。
【００１７】
調和空気の吹出パターンの調整は、吹出開口部２ｂから指で直接第一及び第二羽根を操作して行う。吹出口本体２の開口領域中央で第一羽根４（又は５、６、７）及び第二羽根８（又は９、１０、１１）を相互に接近させると、気流は両方の羽根の外周に沿って流れ、吹出開口部２ｂから下向きに吹出すこととなる（図４（Ａ）参照）。この状態から第一及び第二羽根を少し離反させて吹出口本体２の側壁にそれぞれ近づけるようにすれば、開口率が小さくなって風量が減ると共に気流の速度が増す。また、第一羽根４（又は５、６、７）及び第二羽根８（又は９、１０、１１）をいずれかの側壁側に寄せた状態では、気流はいずれか一方の羽根の外曲面に沿って流れ、左右いずれかの水平方向に向けて吹出すこととなる（図４（Ｂ）参照）。この時、側壁に接触させた方の羽根にもう一方の羽根を接近させると、開口率が大きくなって風量が増加し、逆に離反させると、開口率が小さくなって風量が減ると共に気流の速度が増す。さらに、第一及び第二羽根を相互に離反させて各第一及び第二羽根をそれぞれ吹出口本体２の両側壁に接触させると、閉止状態となって気流の吹出しは停止する。
【００１８】
次に、前記構成に基づくライン型吹出口における調整及び吹出動作について説明する。
まず、第一羽根４（又は５、６、７）及び第二羽根８（又は９、１０、１１）をそれぞれ角度調整し、調和空気の温度や室内空間と吹出開口部２ｂの位置関係に合わせて、最適な吹出パターンをセットする。例えば暖房使用時には、第一及び第二羽根を互いに接近させた状態として吹出方向を下向きとし、室内の空気より軽い暖気を下方の居住域まで確実に到達できるようにする。一方、冷房使用時には、第一あるいは第二羽根を完全に吹出口本体２の側壁に接触させ、この接触させた羽根に他方の羽根を寄せた状態として吹出方向を横向きとし、室内の空気より重い冷気が天井５０付近から徐々に下方に達して十分室内に拡散できるようにする。これら第一及び第二羽根は吹出開口部２ｂの長手方向に四つ直列に配設されており、吹出開口部２ｂを四等分に分割した各区画ごとに気流の吹出しの向きを変化させることで吹出パターンが何通りも得られ、周囲の条件に応じて最適な調整が行えることとなる（図５、図６、図７参照）。
【００１９】
吹出パターンをセットした後、吹出開口部２の長手方向の両端側と中央側とで風量が均等にならない場合には、第一及び第二羽根による風量調整で両端側と中央側との間でそれぞれ風量のバランスをとる。両端側では、第一羽根４（又は７）及び第二羽根８（又は１１）を相互に離反させ、開口率を小さくして風量を減らすようにする。また、中央側では、第一羽根５（又は６）及び第二羽根９（又は１０）を相互に近付け、開口率を大きくして風量が増えるようにする。
【００２０】
こうした調整の後、ダクト５１から調和空気を導入すると、調和空気はネック部２ａに入り、内側支持筒体３の各気流通路３ｂを通って各気流案内片３ａによりそれぞれ所定方向へ案内され、吹出開口部２ｂ側へと向う。調和空気の気流は各第一及び第二羽根に達し、調整した各吹出しの向きに均一な風量で吹出開口部２ｂから吹出すこととなる。
【００２１】
このように、本実施の形態に係るライン型吹出口では、内側支持筒体３の気流案内片３ａで整流された気流をさらに第一及び第二羽根による風量調整により確実に吹出開口部２ｂの長手方向で均一化して吹出せることとなり、各第一及び第二羽根で吹出しの向きを独立に設定して多様な吹出パターンを得られることと合わせて、室内空間により均一に気流を拡散させて空気調和効果を大幅に向上させられる。また、略長円断面のネック部２ａを用いて吹出口本体２の高さ寸法を抑えられ、天井内構造物と干渉しにくく、天井内空間が狭い場合でも対応できる。加えて、内側支持筒体３で吹出口本体２の側壁間を補強することとなり、吹出口本体２の強度を高めて気流による揺れや振動等も抑えられる。
【００２２】
なお、前記実施の形態に係るライン型吹出口においては、吹出口本体２は断熱材のグラスボードを複数組付けて形成される構成としているが、鋼板や電気亜鉛メッキ鋼板製としたり、あるいは鋼板や電気亜鉛メッキ鋼板に静電植毛を施したものからなる構成とすることもできる。
【００２３】
【発明の効果】
以上のように本発明においては、前記ネック部の断面形状を略長円状に形成し、ネック部から吹出口本体に流入する気流の流動状態を変えて吹出開口部中央に出やすくすることにより、長手方向の端部に集中する気流の流れをより中央側に偏位させられ、吹出開口部からの気流の吹出しが長手方向両端部に偏りにくくなり、空気調和の対象空間により均一に気流を拡散させて空気調和効果を向上させられるという効果を奏する。また、ネック部の垂直方向寸法を小さくすることで吹出口本体の高さ寸法全体を小さくできることにより、天井内構造物と干渉しにくく、制約の多い取付条件にもより柔軟に対応できることとなり、設置作業の能率化が図れるという効果を有する。
また、本発明においては、吹出口本体内にネック部と連続する内側支持筒体を配設し、内側支持筒体に切込みを形成して複数の気流案内片を折曲げて気体通路を生じさせ、吹出口本体内部の気体の流れを気流案内片で吹出開口部側に案内できることにより、吹出開口部からの気流の吹出しが長手方向において両端部に偏ることなく均一化することとなり、気流分布を長手方向に均一化でき、拡散能力を高めて空気調和効果をさらに向上させられるという効果を有する。また、吹出口本体の向い合う側壁間に内側支持筒体を配設していることにより、吹出口本体の強度を著しく高めることとなり、気流による揺れや振動等を起りにくくして静粛性を向上できるという効果を有する。
また、本発明においては、開口部に配設する案内手段を少なくとも中央と両端の三つ以上に分割してそれぞれ独立に配設し、それぞれの位置で風量調整可能とすることにより、長手方向両端部で風量を減らすと共に、中央部分で風量を確保する調整が行えることとなり、吹出開口部から吹出す風量を長手方向でさらに確実に均一化できると共に、各案内手段で吹出しの向きを独立に設定して多様な吹出パターンを得られることとなり、空気調和能力の一層の向上が図れるという効果を有する。
【図面の簡単な説明】
【図１】本発明の一実施の形態に係るライン型吹出口の正面図である。
【図２】本発明の一実施の形態に係るライン型吹出口の概略構成縦断面図である。
【図３】本発明の一実施の形態に係るライン型吹出口の内側支持筒体の要部概略説明図である。
【図４】（Ａ）は本発明の一実施の形態に係るライン型吹出口の垂直吹出状態説明図である。
（Ｂ）は本発明の一実施の形態に係るライン型吹出口の水平吹出状態説明図である。
【図５】本発明の一実施の形態に係るライン型吹出口による水平吹出パターンの例を示す説明図である。
【図６】本発明の一実施の形態に係るライン型吹出口による水平吹出パターンの別の例を示す説明図である。
【図７】本発明の一実施の形態に係るライン型吹出口による水平及び垂直吹出パターンの例を示す説明図である。
【図８】従来のライン型吹出口の斜視図である。
【図９】従来のライン型吹出口の概略構成縦断面図である。
【図１０】従来のライン型吹出口の長手方向吹出パターン説明図である。
【符号の説明】
１、１００  ライン型吹出口
２、１０１    吹出口本体
２ａ、１０１ａ  ネック部
２ｂ、１０１ｂ  吹出開口部
２ｃ、１０４    支持軸
３    内側支持筒体
３ａ  気流案内片
３ｂ  気流通路
４、５、６、７、１０２      第一羽根
４ａ、５ａ、６ａ、７ａ、１０２ａ    円筒部
４ｂ、５ｂ、６ｂ、７ｂ、１０２ｂ    支持孔
４ｃ、５ｃ、６ｃ、７ｃ      操作突部
８、９、１０、１１、１０３  第二羽根
８ａ、９ａ、１０ａ、１１ａ、１０３ａ  支持部
８ｂ、９ｂ、１０ｂ、１１ｂ  操作突部
１２、１３、１４、１５      先端凹部
５０    天井
５１    ダクト
【図１】
0003862114.tif 000002
【図２】
0003862114.tif 000003
【図３】
0003862114.tif 000004
【図４】
0003862114.tif 000005
【図５】
0003862114.tif 000006
【図６】
0003862114.tif 000007
【図７】
0003862114.tif 000008
【図８】
0003862114.tif 000009
【図９】
0003862114.tif 000010
【図１０】
0003862114.tif 000011